(57)【要約】【課題】車載用再生装置等において、自宅等で保有しているコンテンツと重複したコンテンツの購入を防止する。【解決手段】コンテンツ取得装置において、コンテンツの再生に供するコンテンツデータを格納する第１のコンテンツ蓄積手段と、同様のコンテンツデータを格納する第２のコンテンツ蓄積手段を有する第２の装置から、指定されたコンテンツのコンテンツデータを取得して前記第１コンテンツ蓄積手段に格納するコンテンツ取得手段（ステップ５５）と、コンテンツ取得手段によるコンテンツデータの取得に際し、指定されたコンテンツのコンテンツデータが、同様のコンテンツデータを格納する第３のコンテンツ蓄積手段を有する第３の装置において格納されているか否かを判定する判定手段（ステップ４９）とを設ける。【選択図】図４
2007317257.tif 000002
【特許請求の範囲】
【請求項１】
コンテンツの再生に供するコンテンツデータを格納する第１のコンテンツ蓄積手段と、
同様のコンテンツデータを格納する第２のコンテンツ蓄積手段を有する第２の装置から、指定されたコンテンツのコンテンツデータを取得して前記第１コンテンツ蓄積手段に格納するコンテンツ取得手段と、
前記コンテンツ取得手段によるコンテンツデータの取得に際し、前記指定されたコンテンツのコンテンツデータが、同様のコンテンツデータを格納する第３のコンテンツ蓄積手段を有する第３の装置において格納されているか否かを判定する判定手段とを具備することを特徴とするコンテンツ取得装置。
【請求項２】
前記指定されたコンテンツのコンテンツデータが前記第１コンテンツ蓄積手段に格納されていない場合、前記判定手段により、該コンテンツデータが前記第３装置において格納されている旨の判定がなされたとき、その旨を提示することを特徴とする請求項１に記載のコンテンツ取得装置。
【請求項３】
前記第１コンテンツ蓄積手段においてコンテンツデータが格納されているコンテンツのリストを取得する第１リスト取得手段と、
前記第３コンテンツ蓄積手段においてコンテンツデータが格納されているコンテンツのリストを取得する第２リスト取得手段とを備え、
前記判定手段は、これらのリスト取得手段が取得するリストに基づいて前記判定を行うものであることを特徴とする請求項１又は２に記載のコンテンツ取得装置。
【請求項４】
前記第１コンテンツ蓄積手段においてそのコンテンツデータが格納されておらず、前記判定手段により前記第３装置においてそのコンテンツデータが格納されている旨の判定がなされ、かつ前記コンテンツ取得手段によりそのコンテンツデータが取得されなかったコンテンツの情報を、未蓄積情報として前記第３装置に送るために出力する未蓄積情報出力手段を有することを特徴とする請求項１〜３のいずれか１項に記載のコンテンツ取得装置。
【請求項５】
請求項４のコンテンツ取得装置における第３装置であって、
前記コンテンツ取得装置が出力した未蓄積情報についての入力を受け入れる未蓄積情報入力手段と、
前記未蓄積情報入力手段により入力を受け入れた未蓄積情報により示されるコンテンツのコンテンツデータを、前記コンテンツ取得装置に送るために出力するコンテンツデータ出力手段とを具備することを特徴とするコンテンツ供給装置。
【請求項６】
請求項１〜５のいずれかの装置における各手段としてコンピュータを機能させることを特徴とするプログラム。
【請求項７】
コンテンツの再生に供するコンテンツデータを第１のコンテンツ蓄積手段に格納するコンテンツ蓄積工程と、
同様のコンテンツデータを格納する第２のコンテンツ蓄積手段を有する第２の装置から、指定されたコンテンツのコンテンツデータを取得し、前記コンテンツ蓄積工程により格納するコンテンツ取得工程と、
前記コンテンツ取得工程におけるコンテンツデータの取得に際し、指定されたコンテンツのコンテンツデータが、同様のコンテンツデータを格納する第３のコンテンツ蓄積手段を有する第３の装置において格納されているか否かを判定する判定工程とを具備することを特徴とするコンテンツ取得方法。
【請求項８】
請求項４のコンテンツ取得装置における第３装置において、
前記コンテンツ取得装置が出力した未蓄積情報についての入力を受け入れる未蓄積情報入力工程と、
前記未蓄積情報入力工程において入力を受け入れた未蓄積情報により示されるコンテンツのコンテンツデータを、前記コンテンツ取得装置に送るために出力するコンテンツデータ出力工程とを具備することを特徴とするコンテンツ供給方法。
【発明の詳細な説明】
【技術分野】
【０００１】
本発明は、コンテンツデータを保有する第２の装置から、指定されたコンテンツのコンテンツデータを取得して蓄積するコンテンツ取得装置及び方法、コンテンツ取得装置からの未蓄積情報に基づき、該当するコンテンツデータをコンテンツ取得装置に送るために出力する第３の装置としてのコンテンツ供給装置及び方法、並びにコンピュータをコンテンツ取得装置又はコンテンツ供給装置として機能させるプログラムに関する。
【背景技術】
【０００２】
従来、車載用のオーディオ装置において再生対象とする楽曲は、装置自体が楽曲データを保有している楽曲を対象とする場合がほとんどである。楽曲データを保有する手段としてはたとえば、ハードディスクが該当する。また、楽曲データをコンテンツ会社からダウンロードすることができる環境を有する場合には、提案されるお勧めの楽曲のうちから選択することもできる。
【０００３】
このような車載用の装置として、引用文献１には、記憶装置に記憶された大量の楽曲データのうちの所望のものを再生するために、楽曲を検索する条件式を作成し、これを操作ボタン群に割り付けることができるようにしたナビゲーション装置が記載されている（段落００１９等参照）。選曲ボタンの使用例として、同文献の段落００２４には、「選曲ボタン４には、（アーティスト２＋アーティスト３）＊最新曲それぞれの最新曲を繰り返し再生する、自動更新「する」が設定されている。したがって、この選曲ボタン４を選択すれば、制御部１０１は、前記記憶装置１０２に格納された、アーティスト２とアーティスト３の楽曲を検索してそれぞれの最新の楽曲を順次繰り返す。」との開示がある
【０００４】
引用文献２には、ネットワークから受信されるＸＭＬファイル、ＨＴＭＬファイル等のページ情報から抽出したキーワードに基づいて音楽データを検索し、再生するようにした技術が記載されている。すなわち、「ページ情報から検出したキーワードに基づいてハードディスクドライブ２１１から当該キーワードに一致する属性情報を有する音楽データを検索し、該当する音楽データが存在する場合に、この音楽データを再生するようにしたことにより、ページ情報に関連のある記録済の音楽データに基づく音楽をユーザに聞かせることができ、かくしてどの音楽データが記録済であるのかをユーザに容易に知らせることができる。」との開示がある（段落０４３４）。
【０００５】
また、特許文献３には、ホームサーバにコンテンツを蓄積し、蓄積したコンテンツのリストを携帯端末に送信し、リストに従って指定されたコンテンツを携帯端末に供給するようにしたコンテンツ配信技術が記載されている。
【０００６】
【特許文献１】特開２００４−２８１０１３号公報
【特許文献２】特開２００５−３３２４７９号公報
【特許文献３】特開２００３−０３７８０２号公報
【発明の開示】
【発明が解決しようとする課題】
【０００７】
しかしながら、楽曲データを蓄積するためにハードディスクを使用すると、数千曲の楽曲についての楽曲データを保存することが可能であるため、楽曲データが蓄積されているすべての楽曲を把握することは、ユーザにとって困難になる恐れがある。
【０００８】
また、コンテンツ会社によるお勧めリストに従って楽曲を指定し、ダウンロードを行う場合、お勧めの楽曲は、コンテンツ会社からの一方的な情報の開示である。したがって、お勧めに従った場合、必ずしもユーザの好みを反映させることができるとは限らない。
【０００９】
また、自宅には保持しているが、車載オーディオ装置には楽曲データを保有していない楽曲について、インターネットを経て再度有償でダウンロードするのは、費用が無駄となる。また、これを防止するために、楽曲が、車載装置ではなく自宅のパソコン等によって購入したことがあるものであるかどうか、又は過去に購入したものであるかどうかを調べようとしても、容易には調べることができない。
【００１０】
本発明の目的は、このような従来技術の問題点に鑑み、車載用再生装置等において、自宅等で保有しているコンテンツと重複したコンテンツの購入を防止することにある。
【課題を解決するための手段】
【００１１】
上記目的を達成するため、第１の発明に係るコンテンツ取得装置は、コンテンツの再生に供するコンテンツデータを格納する第１のコンテンツ蓄積手段と、同様のコンテンツデータを格納する第２のコンテンツ蓄積手段を有する第２の装置から、指定されたコンテンツのコンテンツデータを取得して前記第１コンテンツ蓄積手段に格納するコンテンツ取得手段と、前記コンテンツ取得手段によるコンテンツデータの取得に際し、指定されたコンテンツのコンテンツデータが、同様のコンテンツデータを格納する第３のコンテンツ蓄積手段を有する第３の装置において格納されているか否かを判定する判定手段とを具備することを特徴とする。
【００１２】
ここで、コンテンツとしてはたとえば、音楽コンテンツや映像コンテンツが該当する。コンテンツ取得装置としてはたとえば、カーナビゲーション装置や、車載用オーディオ装置、モバイル端末装置が該当する。コンテンツ蓄積手段としては、たとえば、ハードディスクや半導体メモリが該当する。第２装置としては、たとえば、インターネット上のコンテンツ提供会社が運営するサイトが設けられたサーバが該当する。第３装置としては、たとえば、家のパソコンや携帯端末が該当する。
【００１３】
この構成において、第２装置から、指定されたコンテンツのコンテンツデータを取得するとき、判定手段により、該コンテンツデータが第３装置に格納されているかどうかを判定することができる。このとき、第３装置に格納されているかどうかの判定結果は、該コンテンツデータを第３装置から取得することができるかどうかを意味する。したがって、この判定結果に応じ、第２装置からのコンテンツデータの取得を続行するか、又は、該コンテンツデータは第３装置から取得できるので続行する必要がないかを決定することができる。
【００１４】
たとえば、第１装置が車載のナビゲーション装置であり、第２装置がインターネット上のサーバであり、第３装置が家のパソコンであるとすれば、ナビゲーション装置においてサーバからコンテンツデータを有償でダウンロードしようとするとき、そのコンテンツデータがパソコンに存在する旨の判定がなされた場合には、ダウンロードを中止し、コンテンツの重複した購入を防止することができる。
【００１５】
第２の発明に係るコンテンツ取得装置は、第１発明において、前記指定されたコンテンツのコンテンツデータが前記第１コンテンツ蓄積手段に格納されていない場合、前記判定手段により、該コンテンツデータが前記第３装置において格納されている旨の判定がなされたとき、その旨を提示することを特徴とする。
【００１６】
第３の発明に係るコンテンツ取得装置は、第１又は第２発明において、前記第１コンテンツ蓄積手段においてコンテンツデータが格納されているコンテンツのリストを取得する第１リスト取得手段と、前記第３コンテンツ蓄積手段においてコンテンツデータが格納されているコンテンツのリストを取得する第２リスト取得手段とを備え、前記判定手段は、これらのリスト取得手段が取得するリストに基づいて前記判定を行うものであることを特徴とする。リスト取得手段としては、たとえば、インターネット上の所定のデータベースサーバ、ＣＤＤＢ（ＣＤデータベース）サーバから取得できる情報に基づいてリストを取得したり、ユーザが入力した情報に基づいてリストを取得するものが該当する。
【００１７】
第４の発明に係るコンテンツ取得装置は、第１〜第３のいずれかの発明において、前記第１コンテンツ蓄積手段においてそのコンテンツデータが格納されておらず、前記判定手段により前記第３装置においてそのコンテンツデータが格納されている旨の判定がなされ、かつ前記コンテンツ取得手段によりそのコンテンツデータが取得されなかったコンテンツの情報を、未蓄積情報として前記第３装置に送るために出力する未蓄積情報出力手段を有することを特徴とする。未蓄積情報出力手段としては、たとえば、未蓄積情報を、インターネット上の所定のサーバに送信するものや、未蓄積情報を、装着されたメモリカードに出力するものが該当する。
【００１８】
第５の発明に係るコンテンツ供給装置は、第４発明に係るコンテンツ取得装置における第３装置であって、前記コンテンツ取得装置が出力した未蓄積情報についての入力を受け入れる未蓄積情報入力手段と、前記未蓄積情報入力手段により入力を受け入れた未蓄積情報により示されるコンテンツのコンテンツデータを、前記コンテンツ取得装置に送るために出力するコンテンツデータ出力手段とを具備することを特徴とする。ここで、未蓄積情報入力手段としては、たとえばインターネット上の所定のサーバから未蓄積情報をダウンロードするものや、装着されたメモリカードから未蓄積情報を読み出すものが該当する。コンテンツデータ出力手段としては、たとえば、インターネット上の所定のサーバへコンテンツデータをアップロードするものや、装着されたメモリカードへコンテンツデータを書き込むものが該当する。アップロードや書き込んだコンテンツデータは、第１装置においてダウンロードや読出しを行い、第１コンテンツ蓄積手段に格納することができる。
【００１９】
第６の発明に係るプログラムは、第１〜第５のいずれかの発明に係る装置における各手段としてコンピュータを機能させることを特徴とする。
【００２０】
第７の発明に係るコンテンツ取得方法は、コンテンツの再生に供するコンテンツデータを第１のコンテンツ蓄積手段に格納するコンテンツ蓄積工程と、同様のコンテンツデータを格納する第２のコンテンツ蓄積手段を有する第２の装置から、指定されたコンテンツのコンテンツデータを取得し、前記コンテンツ蓄積工程により格納するコンテンツ取得工程と、前記コンテンツ取得工程におけるコンテンツデータの取得に際し、指定されたコンテンツのコンテンツデータが、同様のコンテンツデータを格納する第３のコンテンツ蓄積手段を有する第３の装置において格納されているか否かを判定する判定工程とを具備することを特徴とする。
【００２１】
第８の発明に係るコンテンツ供給方法は、第４発明に係るコンテンツ取得装置における第３装置において、前記コンテンツ取得装置が出力した未蓄積情報についての入力を受け入れる未蓄積情報入力工程と、前記未蓄積情報入力工程において入力を受け入れた未蓄積情報により示されるコンテンツのコンテンツデータを、前記コンテンツ取得装置に送るために出力するコンテンツデータ出力工程とを具備することを特徴とする。
【発明の効果】
【００２２】
本発明によれば、コンテンツデータの取得に際し、指定されたコンテンツのコンテンツデータが、第３装置において格納されているか否かを判定することができるようにしたため、コンテンツデータの重複した取得を防止することができる。
【００２３】
また、指定されたコンテンツのコンテンツデータが第１コンテンツ蓄積手段に格納されていない場合、該コンテンツデータが第３装置において格納されている旨の判定がなされたとき、その旨を提示するようにしたため、この提示に基づき、ユーザはコンテンツデータの取得を中止し、コンテンツデータの重複した取得を回避することができる。
【００２４】
また、判定手段は、リスト取得手段が取得するリストに基づいて判定を行うようにしたため、第３装置からは第３コンテンツ蓄積手段にコンテンツデータが格納されているコンテンツのリストを取得するだけで、判定を行うことができる。
【００２５】
また、第１コンテンツ蓄積手段においてそのコンテンツデータが格納されておらず、第３装置においてそのコンテンツデータが格納されており、かつコンテンツ取得手段によりそのコンテンツデータが取得されなかったコンテンツの情報を、未蓄積情報として第３装置に送るようにしたため、第３装置から、当該コンテンツのコンテンツデータを取得することができる。
【００２６】
また、第３装置において、コンテンツ取得装置が出力した未蓄積情報により示されるコンテンツのコンテンツデータを、コンテンツ取得装置に送るために出力するようにしたため、第３装置は、コンテンツ取得装置において、第２装置から取得しようとしたが実際には取得されなかったコンテンツデータを、コンテンツ取得装置に提供することができる。
【発明を実施するための最良の形態】
【００２７】
図１は、本発明の一実施形態に係る車載用オーディオ装置の構成を示すブロック図である。同図に示すように、このオーディオ装置は、所定のプログラムに従い装置各部を制御するとともに必要な情報処理を行う制御部１１、制御部１１に対してユーザが入力を行うための入力装置１２、入力装置１２及び制御部１１間のインタフェースとして機能する入力操作部１３、制御部１１の指示に基づき、ユーザへの出力を行うための出力装置１４、制御部１１及び出力装置１４間のインタフェースとして機能する出力制御部１５、制御部１１が外部との通信を行うための通信部１６、制御部１１が使用するエージェントのキャラクタの画像データや音声データを格納したエージェントデータ部１７、及び多数の車の楽曲データを記憶する記憶装置１８を備える。
【００２８】
入力装置１２はタッチパネル、マイク、メモリカードスロット等を備える。出力部１４はディスプレイ、スピーカ、メモリカードスロット等を備える。入力操作部１３はマイクを介して入力される音声信号を、音声認識によりテキスト情報に変換して制御部１１に供給する機能を有する。制御部１１は供給されるテキスト情報に応答して、ディスプレイ及びスピーカを介し、出力を行う機能を有する。その際、制御部１１は、エージェントデータ部１７に格納されている画像データに基づき、ディスプレイ上に、エージェントのキャラクタの画像を表示する。また、スピーカからは、エージェントデータ部１７に格納されている音声データに基づき、エージェントが発する音声として、音声出力を行う。
【００２９】
これにより、エージェントが入力に対する応答を行っているかのような感じで出力を行うことができる。いわゆるエージェント機能である。エージェント機能によれば、ユーザが入力操作を行い、その結果を得る際に、対話を行うような感じでユーザの入力支援を行うことができる。なお、ユーザによる入力は、タッチパネルやメモリカードを介して行うこともできる。また、制御部１１による出力は、ディスプレイに表示する文字列として、又はメモリカードに対しても行うことができる。
【００３０】
記憶装置１８には車の楽曲リスト及び家の楽曲リストも記憶されている。車の楽曲リストとは、図１の車載用オーディオ装置が記憶装置１８において楽曲データを保有している楽曲のリストである。家の楽曲リストとは、家のパソコン等が楽曲データを保有している楽曲のリストである。
【００３１】
図中の１９はインターネット上に設けられた楽曲ダウンロード用のサイトが設けられたサーバ、１９ａはサーバ１９が保有する楽曲データ、そして１９ｂはサーバ１９において記憶されている楽曲データ１９ａによる楽曲のリストである。サーバ１９に設けられたサイトは、本車載用オーディオ装置に対応している。
【００３２】
制御部１１は、通信部１６を介して、インターネットに接続する機能を備える。なお、同機能を有するナビゲーション装置介してインターネットに接続することができるようにしてもよい。そして、サーバ１９にアクセスし、その楽曲ダウンロード用サイトから、楽曲リスト１９ｂ中に存在する楽曲の楽曲データ１９ａをダウンロードし、記憶装置１８に蓄積する機能を有する。また、ＣＤをリッピングする機能も有する。
【００３３】
さらに、本車載用オーディオ装置はＣＤＤＢ等に対応しており、ＣＤデータのリッピングや楽曲データのダウンロードに際しては、ＣＤＤＢサーバ等にアクセスして、ＣＤや楽曲データに関するアルバム名、アーティスト名、楽曲名等の情報を取得する機能を有する。これらの情報に基づき、車の楽曲リストに対し、ＣＤデータのリッピングやダウンロードにより得られる各楽曲の楽曲データについてのリストが順次追加される。なお、曲名等の情報が得られなかった楽曲データについては、そのような情報をユーザ自身が入力することができるようにしてもよい。家の楽曲リストは、家のパソコン等からメモリカード等を介して取得することができるようになっている。
【００３４】
図２は記憶部１８において楽曲データを保有している車の楽曲、家のパソコン等において楽曲データを保有している家の楽曲、及びサーバ１９から楽曲データがダウンロード可能な楽曲の各集合間の関係を示す。ダウンロード可能な楽曲の集合２１内に、車の楽曲の集合２２及び家の楽曲の集合２３が含まれる。車の楽曲の集合２２及び家の楽曲の集合２３は一部が共通しており、その部分は積集合２４となっている。
【００３５】
図３はこれらの車の楽曲、家の楽曲、及びダウンロード可能な楽曲の各リストの例を示す。図中の３１が車の楽曲リスト、３２が家の楽曲リスト、そして３３がダウンロード可能な楽曲のリストである。たとえば、「いいいい／ＩＩＩＩ」の楽曲の楽曲データは家のパソコン等には存在するが、記憶部１８には存在しない。したがって、ダウンロードしなければ、車載用オーディオ装置において再生することはできない。「ええええ／ＥＥＥＥ」の楽曲の楽曲データは家のパソコン等には存在せず、記憶部１８には存在するので、そのまま再生することができる。「おおおお／ＯＯＯＯ」の楽曲の楽曲データは車及び家の双方において存在する。ただし、いずれもダウンロードは可能である。
【００３６】
図４は制御部１１による処理の一部を示すフローチャートである。図５及び図６は、この処理において表示される各種メニュー画面を示す。処理を開始し、ステップ４１において、インターネットメニューが選択されると、図５（ａ）に示すようなインターネットメニューの画面５１を表示する。次に、ステップ４２において、インターネットメニュー中のたとえば「楽曲購入」が選択されると、図５（ｂ）に示すような楽曲購入メニューの画面５２を表示する。次にステップ４３において、楽曲購入メニュー中の「オススメ」が選択されると、図５（ｃ）に示すようなオススメメニューの画面５３を表示する。
【００３７】
次に、ステップ４４において、サーバ１９における楽曲リスト１９ｂに基づき、ダウンロード可能な最新の楽曲のリストを表示する。たとえば画面５３におけるオススメメニュー中の「最新曲」が選択されたとすれば、図５（ｄ）のように、オススメの最新曲の画面５４を表示し、お勧めの最新曲のリストを表示する。次にステップ４５において、図６（ｅ）のように、画面５４の最新曲リストにおける楽曲の指定を受け入れると、ステップ４６において、指定された楽曲が、記憶装置１８に記憶されている車の楽曲リスト中に存在するか否かを判定する。判定に際して比較するデータ項目としては、曲名やアーティスト名等のような楽曲を特定することができるキーワードを用いる。
【００３８】
指定された楽曲が車の楽曲リスト中に存在すると判定した場合には、ステップ４７に進み、図６（ｆ）のような確認メッセージ６１をオススメの最新曲画面５４上に表示し、その楽曲の再生を行うか否かの指示を求める。図６（ｆ）の例では、確認メッセージ６１として、「ご確認（いいいい／ＩＩＩＩ  ２８０円）この楽曲は既に購入済みです。再生しますか？」とのメッセージを表示し、再生を肯定するか又は否定するかの入力を求めている。なお、このようなメッセージは音声によっても出力される。また、エージェント機能に基づき、入力は音声によっても行うことができる。再生を行う旨の指示が与えられた場合には、ステップ４８においてその楽曲の再生を開始し、図４の処理を終了する。再生を行わない旨の指示が与えられた場合には、直ちに図４の処理を終了する。
【００３９】
一方、ステップ４６において、指定された楽曲が車の楽曲リスト中に存在しないと判定した場合にはステップ４９へ進み、指定された楽曲が記憶装置１８に記憶されている家の楽曲リスト中に存在するか否かを判定する。指定された楽曲が家の楽曲リスト中に存在すると判定した場合には、ステップ５０に進み、図６（ｇ）のような再購入の確認メッセージ６２をオススメの最新曲画面５４上に表示し、その楽曲を再購入するか否かの指示を求める。図６（ｇ）の例では、確認メッセージ６２として、「ご確認（いいいい／ＩＩＩＩ２８０円）この楽曲は既に購入済みですが、データがＨＤＤ内部にはないため再生できません。再度楽曲を購入しますか？」とのメッセージを表示し、再購入を肯定するか又は否定するかの入力を求めている。
【００４０】
次に、ステップ５１において、再購入を行う旨の指示が与えられたか否かを判定する。再購入をしない旨の指示が与えられたと判定した場合には直ちに図４の処理を終了する。この場合、制御部１１は、予め出力装置１４のメモリカードスロットに装着されているメモリカードに対し、ステップ４５において指定された楽曲について、楽曲リストに用いられる楽曲名等の情報を書き込む。
【００４１】
ステップ５１において再購入を行う旨の指示が与えられたと判定した場合には、ステップ５２へ進み、図６（ｈ）のような楽曲ダウンロードメニューの画面６３を表示し、試聴を行うか又は購入手続を行うかの指示を求める。試聴を行う旨の指示は画面６３中の試聴ボタン６４の押下や、「試聴」との発話に基づいて受け入れることができる。購入手続を行う旨の指示は、購入手続ボタン６５の押下や、「購入手続」等の発話に基づいて受け入れることができる。そしてステップ５３及び５５において、試聴を行うか又は購入手続を行う旨の指示が得られたか否かを判定する。なお、画面６３中のボタン６６は１つ前の画面、すなわち図６（ｅ）等の画面に戻るためのボタンである。
【００４２】
ステップ５３において、試聴を行う旨の指示が与えられたと判定した場合には、ステップ５４において視聴のための再生を行い、さらにステップ５５において、購入手続を行うかどうかの指示があったかどうかを判定する。ステップ５５において、購入手続を行う指示が与えられたと判定した場合には、ステップ５６において、指定された楽曲のダウンロードを開始し、図４の処理を終了する。視聴を行う旨及び購入手続を行う旨のいずれの指示も与えられなかったと判定した場合には、直ちに図２の処理を終了する。
【００４３】
図７は家のパソコンにおける処理の一部を示すフローチャートである。パソコンは、ＣＤをリッピングする際に、インターネットに接続し、ＣＤのコンテンツに関するデータをＣＤＤＢ等のデータベースから取得したり、ユーザの入力により取得したりして、新たに保有することになる楽曲のリストを、既に保有している楽曲リストに対して追加する機能を有する。図８は図７の処理において表示される画面の例を示す。
【００４４】
車載用オーディオ装置から取り出してきたメモリカードをパソコンに装着し、図７の処理を開始すると、まず、ステップ７１において、メモリカードの記録内容を読み込む。メモリカードからは、車載オーディオ装置からの楽曲要望情報、すなわち車載オーディオ装置におけるインターネットメニューにおいて「楽曲購入」が選択され（図４のステップ４２）、楽曲が指定されたが（ステップ４５）、実際には購入されなかった楽曲をリスアップした情報を読み込むことができる。
【００４５】
次に、ステップ７２において、読み出した記録内容中に楽曲要望情報が存在し、かつ楽曲要望情報を確認する旨の指示が与えられたかどうかを判定する。すなわち、記録内容中に楽曲要望情報が存在する場合、図８のように、画面上に「メモリカードに車載オーディオからの情報があります。車載オーディオからの情報を確認しますか？」とのメッセージ８１を表示し、楽曲要望情報を確認するかどうかの指示を受け入れる。指示の受入れはイエスボタン８２又はノーボタン８３の押下に基づいて受け入れることができる。
【００４６】
楽曲要望情報を確認しない旨の指示が与えられた場合、又は楽曲要望情報が存在しない場合にはステップ７７へ進む。楽曲要望情報を確認する旨の指示が与えられた場合には、ステップ７３へ進み、図９のように、「車内で購入しようとした楽曲があります。」とのメッセージ９１とともに、楽曲要望情報中の楽曲であってパソコンにおいて楽曲データが記憶されているもののリストを家ＰＣの欄９２に表示する。そして、欄９２においてリストアップされた楽曲のうち、楽曲データのコピーを車載オーディオ装置に転送するものの指定を受け入れる。指定された楽曲についてはその表示を欄９２から車載オーディオの欄９３に移動させる。ユーザが誤って指定した楽曲については、その指定を、戻すボタン９４の指示によって解除し、その表示を欄９２に戻すことができるようにしてもよい。次のステップ７４において、図９中の移動ボタン９５の指示を検出すると、ステップ７５において、指定された楽曲の楽曲データをメモリカードにコピーし、ステップ７６へ進む。楽曲が１つも指定されずに移動ボタン９５が指示された場合にはそのままステップ７６へ進む。
【００４７】
ステップ７６では、メモリカード内の楽曲要望情報を削除し、ステップ７７へ進む。ステップ７７では、パソコンに保存されている楽曲のリストを作成する。楽曲リストの作成に際しては、図１０の画面を表示する。すなわち、フォルダ指定欄１０１においてフォルダの指定を受け入れ、指定されたフォルダ内に楽曲データが存在する楽曲のリストをリスト表示欄１０２に表示する。表示した楽曲リストについては、楽曲情報の編集ボタン１０３の指示に応じ、削除や名称変更等の編集を受け入れることができる。作成開始ボタン１０４が指示されると、リスト表示欄１０２に表示されている内容の楽曲リストをメモリカードに記録する。この後、図７の処理を終了する。
【００４８】
この後、ユーザがメモリカードをパソコンから取り出して車載用オーディオ装置の入力装置１２におけるメモリカードスロットに装着し、所定のプログラムを起動させる命令を車載用オーディオ装置に与えると、制御部１１は、メモリカード内の楽曲リストを、家の楽曲リストとして、記憶装置１８に格納する。
【００４９】
本実施形態によれば、ユーザが、車載用オーディオ装置を用い、インターネットを利用して楽曲コンテンツの購入を行う際に、購入のために指定された楽曲が車の楽曲リストには存在しなくても、家の楽曲リストに存在する場合には、その旨を表示するようにしたため（ステップ５０）、ユーザが曖昧な記憶に基づき、家にあるものと同じ楽曲コンテンツを重複して購入してしまうのを防止することができる。
【００５０】
また、家の楽曲リストを記憶装置１８において記憶するようにしたため、車載用オーディオ装置がエージェント機能により楽曲を提案する際には、図２に示すように、車載用オーディオ装置が保有している楽曲の範囲を、家で保有している楽曲との関係で、より詳細に把握することができる。
【００５１】
また、家の楽曲リストを記憶装置１８において記憶するようにしたため、たとえば図３のように、車載用オーディオ装置又は家において既に保有している楽曲を区別できるようにして表示することができる。この表示に基づき、ユーザは再購入を行うか否かを検討することができる。
【００５２】
また、家の楽曲リストを記憶装置１８において記憶するようにしたため、たとえば図９に示すように、車載用オーディオ装置においては保有してはいないが家において既に保有している楽曲を区別して表示することができる。この表示基づき、家にはある楽曲でも、車内において再度購入したいという要望に応えることができる。
【００５３】
なお、本発明は上述の実施形態に限定されることなく適宜変形して実施することができる。たとえば上述においては、図４のステップ４４において、図５（ｄ）のオススメの最新曲の画面５４上に、サーバ１９から楽曲データをダウンロードすることが可能なすべてのお勧めの最新曲を表示するようにしているが、この代わりに、該最新曲のうち車載用オーディオ装置の記憶部１８内に楽曲データが格納してある楽曲についてはオススメの最新曲の画面５４上に表示しないようにして、選択対象から除外するようにしてもよい。
【００５４】
また、上述においては、図４のステップ４４において、図５（ｄ）のオススメの最新曲の画面５４上に、サーバ１９から楽曲データをダウンロードすることが可能なすべてのお勧めの最新曲を、同様の表示態様で表示するようにしているが、この代わりに、図１１に示すように、家のパソコン等においては保有しているが、車載用オーディオ装置においては保有していない楽曲１１１の表示態様と、家及び車の双方において保有していない楽曲１１２すなわち未だ購入していない楽曲の表示態様とが異なるようにして表示するようにしてもよい。具体的には、楽曲１１１については確認ウィンドウを表示してそ枠内に、家のパソコン等においては保有しているが車載用オーディオ装置においては保有していない旨のメッセージとともに表示したり、楽曲１１１及び１１２の表示に使用する文字の色や背景色等を変えて、楽曲１１１及び１１２を区別できるようにしたりすることができる。
【００５５】
また、上述においては、メモリカードを用いて、車載用オーディオ装置及びパソコン間における楽曲リストや楽曲データの転送を行うようにしているが、この代わりに、専用のサーバ等を設け、該サーバにユーザの個人用の領域を確保し、この領域に対するアップロード及びダウンロードを行うことによって、車載用オーディオ装置及びパソコン間におけるデータの送受を行うようにしてもよい。
【００５６】
また、上述においては、メモリカードに記録されている楽曲リストに基づき、パソコンに保有する楽曲データをメモリカードに書き込む場合の処理を、図７〜図９のように対話形式で行うようにしているが、対話形式によらず、楽曲リストの楽曲すべてについて楽曲データをメモリカードに書き込み、また、パソコンが保有するすべての楽曲データについての楽曲リストをメモリカードに書き込むようにしてもよい。
【００５７】
また、上述においては車載用オーディオ装置を例として説明したが、本発明はこれに限らず、ＰＤＡ（パーソナル・デジタル・アシスタント）等を含むモバイルＰＣ、携帯電話等についても適用することができる。
【図面の簡単な説明】
【００５８】
【図１】本発明の一実施形態に係る車載用オーディオ装置の構成を示すブロック図である。
【図２】図１の装置の記憶部において楽曲データを保有している車の楽曲、家の楽曲、及び楽曲データがダウンロード可能な楽曲の各集合間の関係を示す図である。
【図３】車の楽曲、家の楽曲、及びダウンロード可能な楽曲の各リストの例を示す図である。
【図４】図１の装置の制御部による処理の一部を示すフローチャートである。
【図５】図４の処理において表示される各種メニュー画面を示す図である。
【図６】図４の処理において表示される別の各種メニュー画面を示す図である。
【図７】家のパソコンにおける処理の一部を示すフローチャートである。
【図８】図７の処理において表示される画面の例を示す図である。
【図９】図７の処理において表示される別の画面の例を示す図である。
【図１０】図７の処理において表示されるさらに別の画面の例を示す図である。
【図１１】図４の処理において表示される別の画面の例を示す図である。
【符号の説明】
【００５９】
１１：制御部、１２：入力装置、１３：入力操作部、１４：出力装置、１５：出力制御部、１６：通信部、１７：エージェントデータ部、１８：記憶装置、１９：サーバ、２１：ダウンロード可能な楽曲の集合、２２：車の楽曲の集合、２３：家の楽曲の集合、２４：積集合、３１：車の楽曲リスト、３２：家の楽曲リスト、３３：ダウンロード可能な楽曲リスト、５１：インターネットメニューの画面、５２：楽曲購入メニューの画面、５３：オススメメニューの画面、５４：オススメの最新曲の画面、６１：確認メッセージ、６２：再購入の確認メッセージ、６３：楽曲ダウンロードメニューの画面、６４：試聴ボタン、６５：購入手続ボタン、６６：１つ前の画面に戻るためのボタン、８１：メッセージ、８２：イエスボタン、８３：ノーボタン、９１：メッセージ、９２：家ＰＣの欄、９３：車載オーディオの欄、９４：戻すボタン、９５：移動ボタン、１０１：フォルダ指定欄、１０２：リスト表示欄、１０３：編集ボタン、１０４：作成開始ボタン、１１１：楽曲、１１２：楽曲。
【図１】
2007317257.tif 000003
【図２】
2007317257.tif 000004
【図３】
2007317257.tif 000005
【図４】
2007317257.tif 000006
【図５】
2007317257.tif 000007
【図６】
2007317257.tif 000008
【図７】
2007317257.tif 000009
【図８】
2007317257.tif 000010
【図９】
2007317257.tif 000011
【図１０】
2007317257.tif 000012
【図１１】
2007317257.tif 000013